(57)【特許請求の範囲】
【請求項１】
取付杆と、取付杆にスライド可能に連結した樋支持具本体と、樋支持具本体を取付杆にロック或いはアンロックさせるロックレバーと、取付杆と樋支持具本体とロックレバーとを連結する連結軸とを備えたロック式の雨樋支持具であって、
上記ロックレバーには、上記連結軸が挿通される軸孔が形成され、その軸孔の周縁には取付杆に開設されたガイド孔に嵌合する方向に向けて突出したガイド凸部を形成し、且つ、取付杆の適所には、上記ロックレバーのガイド凸部を取付孔のガイド孔に誘導するようガイド孔方向に向かう凹所を形成したことを特徴とするロック式の雨樋支持具。
【発明の詳細な説明】
【０００１】
【発明の属する技術分野】
本発明は、軒先等に取付けるロック式の雨樋支持具に関し、詳しくは、取付杆と、取付杆にスライド可能に連結した樋支持具本体と、樋支持具本体を取付杆にロック或いはアンロックさせるロックレバーと、取付杆と樋支持具本体とロックレバーとを連結する連結軸とを備えたロック式の雨樋支持具に関する。
【０００２】
【従来の技術】
図４は、従来のロック式の雨樋支持具を示す概略側面図である。
【０００３】
ロック式の雨樋支持具１００には、従来から様々な構造のものがあり、特に、ロックレバー１０３には、これを横回転、縱回転、スライド操作するものがある。
【０００４】
ここでは、縱回転式のロックレバー１０３を例示して説明する。
【０００５】
この雨樋支持具１００は、取付杆１０１と、取付杆１０１にスライド可能に連結した樋支持具本体１０２と、雨樋支持具１００の上方に樋支持具本体１０２と取付杆１０１を圧接固定させるための縱方向に回転されるロックレバー１０３を備えている。
【０００６】
また、取付杆１０１の前方には、軸孔１１１を開設し、樋支持具本体１０２には、この軸孔１１１に重合する長孔１１２を長手方向に開設している。
【０００７】
また、長孔１１２を貫通しない受座１０４を下端に設け、この受座１０４に下端を固着した連結軸１０５を、下方から樋支持具本体１０２の長孔１１２及び取付杆１０１の軸孔１１１に貫通し、この連結軸１０５の上端には、縱方向に回転するロックレバー１０３の一端が枢着された構造にしている。
【０００８】
そして、図で示すように、ロックレバー１０３を縱方向に回転すると、このロックレバー１０３の回転基板１０３ａの円弧部分が、上記取付杆１０１の上面で縱方向に回転することによって、連結軸１０５が引上げ又は引き下げされる。
【０００９】
そのため、ロックレバー１０３を一方向に縱回転し、連結軸１０５を引き下げておけば、取付杆１０１と樋支持具本体１０２は、圧接することなく、長孔１１２の範囲でスライド可能となる。
【００１０】
そして、樋支持具本体１０２のスライド位置を調節した後、ロックレバー１０３を他方向に向けて縱回転すると、連結軸１０５が引上げられると共に、連結軸１０５下端の受座１０４も引上げられる。
【００１１】
この受座１０４は、長孔１１２を貫通しないので、樋支持具本体１０２に接合してこれを上方に持ち上げる。
【００１２】
したがって、樋支持具本体１０２は、取付杆１０１に圧接固定され、そのスライドを規制できるのである。
【００１３】
【発明が解決しようとする課題】
しかし、このようなロック式の雨樋支持具１００は、何れも、取付杆１０１、樋支持具本体１０２、ロックレバー１０３に、連結軸１０５を貫通させて組付けられる構造にしている。
【００１４】
そのため、ロック式の雨樋支持具１００の組立て作業においては、取付杆１０１の軸孔１１１、樋支持具本体１０２の長孔１１２、ロックレバー１０３の軸貫通孔（不図示）の各々に連結軸１０５を貫通する必要がある。
【００１５】
この組立て作業において、連結軸１０５は、これらの軸孔１１１、長孔１１２、軸貫通孔（不図示）を重合させたうえで、貫通されるが、複数部材の孔を重合させながら連結軸１０５を貫通させることは難しく、組立ての作業性が悪いという問題があった。
【００１６】
本発明は、かかる課題を解決することを目的とするもので、連結軸を複数の部材に簡単に貫通させることができ、その組立作業が容易なロック式の雨樋支持具を提供する。
【００１７】
【課題を解決するための手段】
上記目的を達成するため、
請求項１に係るロック式の雨樋支持具は、取付杆と、取付杆にスライド可能に連結した樋支持具本体と、前記樋支持具本体を取付杆にロック或いはアンロックさせるロックレバーと、取付杆と樋支持具本体とロックレバーとを連結する連結軸とを備えたロック式の雨樋支持具であって、上記ロックレバーには、上記連結軸が挿通される軸孔が形成され、その軸孔の周縁には取付杆に開設されたガイド孔に嵌合する方向に向けて突出したガイド凸部を形成し、且つ、取付杆の適所には、上記ロックレバーのガイド凸部を取付孔のガイド孔に誘導するようガイド孔方向に向かう凹所を形成したことを特徴とする。
【００１８】
請求項１のものでは、ガイド凸部が軸孔の周縁に突出して形成されているので、ロックレバーのガイド凸部を、例えば取付杆の軸孔や樋支持具本体のスライド孔等に挿入、嵌合するだけで、ロックレバーと取付杆等との連結軸の軸心を簡単に重合させることができ、雨樋支持具の組立て作業を容易にできる。
【００１９】
また、ガイド凸部を取付杆の凹所に合わせたうえで、ガイド凸部を押し込めば、ロックレバーと取付杆等との連結軸の軸心を簡単に重合させることができ、雨樋支持具の組立て作業をより容易にできる。
【００２０】
【発明の実施の形態】
以下、本発明に係るロック式の雨樋支持具を図面に基づき説明する。
【００２１】
ここで、ロック式の雨樋支持具Ａとしては様々な構造のものがあり、特に、ロックレバー３には、これを横回転、縱回転、スライド操作する構造のものが考えられる。
【００２２】
本実施例では、ロックレバー３を縱回転操作するロック式の雨樋支持具Ａを例示して説明するが、ロックレバー３を横回転操作、或いはスライド操作させるロック式の雨樋支持具Ａであっても同様である。
【００２３】
図１は、本発明に係るロック式の雨樋支持具の分解斜視図である。
【００２４】
この雨樋支持具Ａは、前方の両側に連結軸４を貫通するガイド孔１１が開設された一対の支持片部１２を下方に向けて延設すると共に、前方の上側に立起させたストッパー片１３が形成された取付杆１と、
上記取付杆１の一対の支持片部１２の間に嵌挿され、前、後にスライド可能な雨樋の樋耳掛止部２１を備えた樋支持具本体２と、
下方に開放した略コ状に形成され、その一対の両側片部３１に連結軸４を貫通する軸孔３２が開設され、且つ、閉止された上面の内側には、上記取付杆１のストッパー片１３と係脱可能な係止部３３が形成されたロックレバー３と、
樋支持具本体２を支持し、且つ、ロックレバー３の軸孔３２と取付杆１のガイド孔１１に横方向から貫通される連結軸４と、より成る。
【００２５】
取付杆１は、軒先等に固定される取付板１４の上端中央から前方に向けて足杆１５を延設し、この足杆１５の前端に、段落ち形成した連結片部１６を形成している。
【００２６】
この連結片部１６には、上面の中央を切り起こしてストッパー片１３を形成しており、また、連結片部１６の両側には、一対の支持片部１２を下方に向けて延設している。
【００２７】
これら支持片部１２の前端には、後述するロックレバー３のガイド凸部３２ａを取付杆１のガイド孔１１に誘導するようガイド孔１１方向に向かう凹所１２ａを形成している。
【００２８】
ここでの凹所１２ａは、支持片部１２の前端からガイド孔１１の間に、前方に拡開させたＶ形に切欠いたものを例示しているが、これ以外にも、例えば、支持片部１２の内面側に同様の凹溝を形成したものでも良く、要するに、後述するロックレバー３のガイド凸部３２ａを取付杆１のガイド孔１１にスムーズに誘導できるものであれば採用できる。
【００２９】
樋支持具本体２は、取付杆１の一対の支持片部１２の間に嵌挿される下方に開放した断面コ状のスライド本体２２を形成して、取付杆１に対して前、後にスライド可能とし、このスライド本体２２の前後端に、雨樋Ｔの耳部を掛止させる樋耳掛止部２１を形成している。
【００３０】
これら取付杆１や樋支持具本体２の形状は、取付場所や雨樋Ｔの形状に応じて適宜選択され、これに限定されるものではない。
【００３１】
ロックレバー３は、下方に開放した略コ状に形成され、その一対の両側片部３１は、取付杆１の支持片部１２を上方から跨ぐようにして取付けられている。
【００３２】
この両側片部３１には、連結軸４を貫通する軸孔３２が開設されており、この軸孔３２の周縁には内方（取付杆１の支持片部１２に開設されたガイド孔１１に嵌合する方向）に向けて突出したガイド凸部３２ａを形成している。
【００３３】
このガイド凸部３２ａは、軸孔３２を形成する際に、一体成形もしくはバーリング加工によって形成されるバリ程度のものなどでも構わず、このようなガイド凸部３２ａは、支持片部１２のガイド孔１１に嵌合するようにしている。
【００３４】
また、両側片部３１は、少なくとも取付杆１の支持片部１２よりも下方に長く形成しており、そのため、軸孔３２を回転中心として縱回転したときには、両側片部３１の下端側を持ってこれを操作することができる。
【００３５】
また、ロックレバー３の閉止された上面は、これを持って縱回転操作することができるが、この上面の内側には、取付杆１のストッパー片１３と係脱可能な係止部３３が形成されている。
【００３６】
ここでは、閉止された上面を図のように折り曲げ、その内側に突条部分を形成しているが、要するに、取付杆１のストッパー片１３と係脱可能に形成されるものであれば足りる。
【００３７】
なお、軸孔３２の位置は、連結軸４がガイド孔１１の上端に位置されたときには、係止部３３が取付杆１のストッパー片１３に乗り上げて係合され、また、ガイド孔１１の下端に位置したときには、係止部３３が取付杆１のストッパー片１３から離脱する位置に形成している。
【００３８】
図２は、図１の組立作業状態を示す斜視図である。
【００３９】
上記のように構成されたロック式の雨樋支持具Ａは、以下の要領で組立てされる。
【００４０】
まず、ロックレバー３のガイド凸部３２ａを、取付杆１の支持片部１２の凹所１２ａに位置付け、ロックレバー３の両側片部３１を押し広げながら、これを押し込めば、ガイド凸部３２ａが取付杆１のガイド孔１１に挿入し、嵌合される。
【００４１】
そのため、図２で示すように、ロックレバー３は、取付杆１と一体化されると共に、ロックレバー３の軸孔３２と、取付杆１のガイド孔１１を重合できる。
【００４２】
この状態で、樋支持具本体２を取付杆１の両支持片部１２、１２の間に差し入れて、これらを支持、ロックレバー３の一側方から、図で示すように、リベットなどの連結軸４の軸部４２を挿通して、樋支持具本体２の下面を通じて、対面する取付杆１のガイド孔１１に貫通させた後、その先端をカシメ等の抜け止め加工をして、これらを相互に連結させて雨樋支持具Ａを組立てするのである。
【００４３】
このように、本発明によれば、ガイド凸部３２ａが軸孔３２の周縁に突出して形成されているので、ロックレバー３のガイド凸部３２ａを、取付杆１のガイド孔１１に挿入、嵌合するだけで、ロックレバー３と取付杆１との軸心を簡単に重合させることができ、雨樋支持具Ａの組立て作業を容易にできる。
【００４４】
また、本実施例で示すような構造の雨樋支持具Ａでは、ガイド凸部３２ａと連結軸４の軸部４２との接触面積を高められるので、連結軸４の損傷を軽減させ、その破損も防止できる。
【００４５】
図３（ａ）、（ｂ）は、本発明に係るロック式の雨樋支持具のロックレバーの他例を示す斜視図であり、（ａ）は、横回転操作式のロックレバーを示し、（ｂ）は、縱回転操作式の他のロックレバーを示している。
【００４６】
ここで、図１と対応する部位には、共通の符号を付し、その説明は省略する。
【００４７】
図３（ａ）は、下方に向けて開放された断面コ状に形成された横回転操作式のロックレバー３であり、この閉止面に軸孔３２を形成している。
【００４８】
そして、この軸孔３２の周縁には上方或いは下方に向けて突出したガイド凸部３２ａを形成している。
【００４９】
図３（ｂ）は、下方に向けて開放された断面コ状に形成され、且つ、長手方向に長く形成された縱回転操作式のロックレバー３であり、その一対の両側片部３１に軸孔３２を形成している。
【００５０】
そして、この軸孔３２の周縁には内方或いは外方に向けて突出したガイド凸部３２ａを形成している。
【００５１】
これらの横回転操作式、縱回転操作式、スライド操作式（不図示）のロックレバー３には、様々な構造の取付杆１や樋支持具本体２が組付けされるが、何れの場合であっても、上記同様、ロックレバー３のガイド凸部３２ａを、取付杆１又は樋支持具本体２等の連結軸用の孔に重合させて、その組付け作業を容易にできる。
【００５２】
【発明の効果】
本発明によれば、次のような効果がある。
【００５３】
請求項１に係るロック式の雨樋支持具によれば、ガイド凸部が軸孔の周縁に突出して形成されているので、ロックレバーのガイド凸部を、例えば取付杆の軸孔や樋支持具本体のスライド孔等に挿入、嵌合するだけで、ロックレバーと取付杆等との連結軸の軸心を簡単に重合させることができ、雨樋支持具の組立て作業を容易にできる。
【００５４】
また、ガイド凸部を取付杆の凹所に合わせたうえで、ガイド凸部を押し込めば、ロックレバーと取付杆等との連結軸の軸心を簡単に重合させることができ、雨樋支持具の組立て作業をより容易にできる。
【図面の簡単な説明】
【図１】本発明に係るロック式の雨樋支持具の分解斜視図
【図２】図１の組立作業状態を示す斜視図
【図３】（ａ）、（ｂ）は、本発明に係るロック式の雨樋支持具のロックレバーの他例を示す斜視図
【図４】従来のロック式の雨樋支持具を示す概略側面図
【符号の説明】
Ａ      ロック式の雨樋支持具
Ｔ      雨樋
１      取付杆
１２ａ  凹所
２      樋支持具本体
３      ロックレバー
３２    軸孔
３２ａ  ガイド凸部
４      連結軸
【図１】
0003929315.tif 000002
【図２】
0003929315.tif 000003
【図３】
0003929315.tif 000004
【図４】
0003929315.tif 000005